【事件の表示】
　特願２００４−１９９６６８「印刷制御装置、印刷管理装置、印刷制御方法、印刷管理方法、印刷制御プログラム、印刷管理プログラム」拒絶査定不服審判事件〔平成１８年　１月２６日出願公開、特開２００６−　２１３５９〕について、次のとおり審決する。
【結　論】
　本件審判の請求は、成り立たない。
【理　由】
１　手続の経緯・本願発明
（１）手続の経緯
　本願は、平成１６年７月６日の出願であって、平成２１年４月２０日付けで手続補正がなされ、同年５月２８日付けで拒絶査定がなされ、これに対して、同年９月２日に拒絶査定不服審判が請求されるとともに、同時に手続補正がなされたものである。
　なお、請求人は、当審における平成２２年６月１日付け審尋に対して、同年７月２８日付けで回答書を提出している。
　
（２）本願発明
　本願の請求項１に係る発明（以下「本願発明」という。）は、平成２１年９月２日付け手続補正によって補正された特許請求の範囲、明細書及び図面の記載からみて、その特許請求の範囲の請求項１に記載された次のとおりのものであると認められる。
　
「プリンタ装置に印刷制御装置が設けられ、該プリンタ装置が端末装置に対して複数台接続されるとともに印刷管理装置が接続される印刷システムにおける印刷制御装置であって、
　前記端末装置から送信される印刷ジョブを受信する受信部と、
　前記受信部が受信した前記印刷ジョブを記憶する印刷ジョブ記憶部と、
　前記受信部が受信した印刷ジョブを前記印刷管理装置に送信する送信部と、
　他の印刷制御装置によって前記印刷管理装置へ送信された印刷ジョブを自装置へ送信することを要求するための送信要求を前記印刷管理装置に送信する印刷ジョブ要求部と、
　前記印刷ジョブ要求部の送信要求に応じて前記印刷管理装置から送信される、他の印刷制御装置によって前記印刷管理装置へ送信された印刷ジョブを受信し、受信した印刷ジョブを前記プリンタ装置に出力する出力部と、
　前記印刷管理装置に記憶された印刷ジョブのリスト情報の送信要求を前記印刷管理装置に送信するリスト要求部と、
　前記リスト要求部の送信要求に応じて前記印刷管理装置から送信されるリスト情報を受信するリスト情報受信部と、
　を有することを特徴とする印刷制御装置。」
　
２　刊行物の記載事項
　原査定の拒絶の理由に引用された「本願の出願前に頒布された刊行物である特開平９−１２８１７１号公報（以下「引用例」という。）」には、図とともに次の事項が記載されている（下線は審決で付した。）。
（１）「【請求項１０】計算機とプリンタとをＬＡＮに接続して構成した印刷システムにおいて、第３の計算機に対して
最初に印刷した第１のプリンタ
第２のプリンタを用いて印刷続行を要求する
　
（２）「【０００１】
【発明の属する技術分野】本発明は
ネットワークに接続されているワークステーションやパソコン等の計算機が複数台のプリンタを共有できる代替プリンタ利用印刷システム
【０００２】
【従来技術】
従来、
【０００３】
【発明が解決しようとする課題】
印刷要求した計算機は、プリンタが接続された計算機のプリンタ名と計算機名等を登録しているが、前記プリンタが接続された計算機同士では、プリンタ名と計算機名等を登録してないので、前記プリンタが接続された計算機同士で印刷ジョブを転送しようとしても、プリンタ名、計算機名が登録されていないため印刷ジョブを転送できないという課題がある。
最初に印刷要求したプリンタから、別のプリンタに対して印刷続行を行う場合、ユーザを認証する機能がないため、最初に印刷要求したユーザ以外が印刷ジョブを他のプリンタへ印刷続行できるという課題がある。これに伴い、最初に印刷要求したユーザが他の代替プリンタで印刷続行を行おうとしても、印刷ジョブがスプールに無いのでユーザに混乱が生じるという課題もある
【０００４】
本発明の目的は、上記課題を解決すべく
　
（３）「【００１４】
【発明の実施の形態】以下、本発明に係る代替プリンタ利用印刷システムの実施例について、図面を参照して説明する。まず、本発明に係る代替プリンタ利用印刷システムの第１の実施例について、図１〜図５を用いて説明する。図１は第１の実施例におけるネットワークの全体構成を示した図である。
ＬＡＮ環境に計算機１０１〜１０４、１１１、プリンタ１０５〜１１０が接続されている。
いずれかのプリンタを制御する機能を有する計算機１０２〜１０４、１１１をプリントサーバと呼び、プリントサーバが制御するプリンタに対する印刷要求等の印刷制御機能を有する計算機１０１をクライアントと呼ぶ。また、クライアントの機能とプリントサーバの機能を１つの計算機に実装してもよい。
【００１５】図２は、図１に示す計算機１０１〜１０４、１１１におけるハード構成を示す図である。
計算機１０１〜１０４、１１１（１０）は、システムバス２５に接続されたＣＰＵ１１、ＲＯＭメモリ１２、ＲＡＭメモリ１３、キーボード１４やマウス１５等の入力手段、ディスクコントローラ１６によって制御されるディスク１７、表示コントローラ１８によって制御されるディスプレイ１９、プリンタケーブル７を接続するプリンタアダプタ８およびＬＡＮ１００に接続される通信Ｉ／Ｆコントローラ９から構成される
プリンタ１０５〜１１０は、計算機１０１〜１０４、１１１のプリンタケーブル７またはＬＡＮ１００に接続されるプリンタコントローラ部２０と、該プリンタコントローラ部２０から得られる信号線Ａ（３１）及び信号線Ｂ（３２）に基づいて印刷制御されるプリンタエンジン部２１とから構成される。プリンタコントローラ部２０はＣＰＵバス３０に接続されたＣＰＵ２２、ＲＯＭメモリ２３、ＲＡＭメモリ２４、信号線Ｂ（３２）を用いて入出力を行うプリンタメモリコントローラ２５、ユーザ操作パネル２７からの信号に基づいて処理して信号線Ａ（３１）を用いて入出力を行うサブＣＰＵ２６及びプリンタケーブル７またはＬＡＮ１００に接続される外部Ｉ／Ｆ部２８から構成される
【００１６】図４は第１の実施例における代替プリンタ利用印刷システムの機能構成を示した図、即ちクライアント２００ａとプリントサーバＸ（２２０ａ）とプリントサーバＹ（２４０ａ）とをＬＡＮ１００に接続して構成した印刷システムの機能構成を示した図である。
クライアント２００ａはログインユーザ認証部２０１、印刷実行部２０２、通信Ｉ／Ｆ部２０３、印刷続行要求部２０４、スプールＡ（２０６）、印刷要求部２０７で構成する。印刷続行要求部２０４はユーザ名獲得部２０５を備えている
プリントサーバＸ（２２０ａ）は印刷実行部２２１、通信Ｉ／Ｆ部２２２、印刷続行処理部２２３、スプールＸ（２２５）で構成する。印刷続行処理部２２３はユーザ名判定部２２４を備え
【００１７】
ログインユーザ認証部２０１は、ＣＰＵ１１によって構成され、ユーザがクライアント２００ａにログインする時に、入力手段１４、１５等を用いて入力されるユーザ名とパスワードとに基づいてクライアント２００ａへログインするユーザの権限を管理するものである
印刷要求部２０７は、ＣＰＵ１１によって構成され、ユーザが入力手段１４、１５を用いて印刷要求を行うと、ファイルを印刷ジョブとしてディスク１７または別のディスクからクライアント２００ａのＲＡＭメモリ１３で構成されるスプールＡ（２０６）へ格納する。印刷ジョブは、制御ファイルとデータファイルから構成する。制御ファイルは、印刷ジョブの全体情報を記述するファイルであり、印刷要求したユーザ名と計算機名、印刷要求先のプリンタ名と計算機名、データファイル名等が記述してある
即ち、制御ファイルは、印刷要求部２０７が作成するファイルである。そして制御ファイルの内、印刷要求したユーザ名は、印刷要求部２０７がユーザ認証部２０１から得る。計算機名は、あるファイルに自計算機名を記述しておいて、印刷要求部２０７が参照することによって得られる。このあるファイルとは、環境設定ファイルのような機器構成情報が記述してあるファイルである。このファイルは予め作成してディスク１７等に登録しておくことが必要である。印刷要求先プリンタ名は、印刷要求時にユーザが指定する。印刷要求先計算機名は、上記環境設定ファイルにプリンタ名と計算機名とが対応付けして記述してあり、印刷要求部２０７がプリンタ名をキーに参照して得ることができる。データファイル名は、印刷ジョブを生成するときに、印刷要求部２０７が作成する
【００１８】
データファイルは、印刷内容を表わすファイルであり
制御ファイルをデータファイルと一緒して１つのファイルとすることもできる
【００１９】
印刷実行部２０２、２２１、２４１は、各スプールに格納している印刷ジョブを順次取り出して、制御ファイルから印刷要求先のプリンタ名と計算機名を取り出し、印刷要求先のプリンタが自計算機に接続しているか、他の計算機に接続しているかを判定する。プリンタが自計算機の時は、プリンタへデータファイルを送信して印刷する。また、プリンタが他の計算機の時は、通信Ｉ／Ｆ部を介して、他の計算機のスプールへ印刷ジョブを転送する
【００２０】
通信Ｉ／Ｆ部２０３、２２２、２４２はＬＡＮ１００を介して、クライアントとプリントサーバ間、または、プリントサーバ間同士で通信するためのもの
印刷続行コマンドは、あるプリンタで印刷中に障害が発生して前記プリンタとは別のプリンタで印刷続行したい時、または印刷が始まってなく別のプリンタで印刷を行いたい時に発行する
印刷続行コマンドの仕様は、最初に要求したプリンタ名、印刷ジョブ名、代替先プリンタ名
プリンタで障害が発生すると、クライアントまたはユーザへプリンタ障害が発生したことが報告されるので、クライアントまたはユーザは別のプリンタで印刷続行を実行すべく印刷続行コマンドを発行することができる
またクライアントまたはユーザが「印刷ジョブ状態問合せ」コマンドを発行して印刷ジョブの状態を知ることができるので、クライアントまたはユーザは別のプリンタで印刷を行うべく印刷続行コマンドを発行することができ
【００２１】
ユーザが入力手段１４、１５を用いてクライアント２００ａに対して印刷続行コマンド（印刷続行を識別するコマンド、最初に要求したプリンタ名、印刷ジョブ名、代替先プリンタ名）を入力すると、ユーザ名獲得部２０５はログインユーザ認証部２０１に問合せて、前記印刷続行コマンドを発行したユーザ名を獲得する
印刷続行要求部２０４は通信メッセージを作成して、プリントサーバＸへ通信Ｉ／Ｆ部２０３を介して送信する。通信メッセージの内容は印刷ジョブ名、最初に印刷要求したプリンタ名、ユーザ名、代替先プリンタ名で構成する
印刷続行処理部２２３は、クライアント２００ａから送信された通信メッセージを通信Ｉ／Ｆ部２２２を介して受信する。そして、ユーザ名判定部２２４は受信した通信メッセージのユーザ名と、印刷ジョブ２２６の制御ファイルから取り出したユーザ名を比較する
クライアント２００ａの印刷実行部が印刷ジョブを受信し、スプールＡへ印刷ジョブを格納してもよい
各計算機の印刷実行部は
印刷が正常に終了するまで、印刷中の印刷ジョブは削除しない
　
（４）「【００２５】次に本発明に係る代替プリンタ利用印刷システムの第２の実施例について、図６および図７を用いて説明する。図６は第２の実施例における代替プリンタ利用印刷システムの機能構成を示した図、即ちクライアント２００ｂと
管理サーバ２６０ｂ
ＬＡＮ１００に接続して構成した印刷システム
基本的には、図４に示す第１の実施例の全体構成と同じであるが、以下の構成及び機能を追加または変更する。図４におけるシステム構成において、本ＬＡＮ１００に接続されているプリントサーバとプリンタとを管理している管理サーバ（計算機）２６０ｂを追加する。管理サーバ２６０ｂは、各プリントサーバの状態や、各プリンタの仕様や状態等を管理している計算機のことである
【００２６】
管理サーバ２６０ｂは、印刷実行部２６１
、通信Ｉ／Ｆ部２６２、スプールＢ（２６３）で構成する
プリントサーバＸ（２２０ｂ）内の印刷続行処理部２２３において印刷ジョブ２２６を管理サーバ２６０ｂのスプールＢ（２６３）へ戻す
管理サーバ２６０ｂはプリンタを接続するとプリントサーバとしても使用できるが、本実施例ではプリンタを接続していない
【００２７】図７は、第２の実施例についての動作手順を示す。
（ａ）
ユーザはクライアント２００ｂにログインする時に、ユーザ名とパスワードを入力しログインユーザ認証部２０１はユーザの認証を行う
（ｂ）
ユーザはクライアント２００ｂからプリンタＸ（２７１）へファイルを印刷要求
プリントサーバＸ（２２０ｂ）のスプールＸ（２２５）へ印刷ジョブ２２６を転送
（ｃ）プリントサーバＸ（２２０ｂ）内の印刷実行部２２１はスプールＸ（２２５）から順次印刷ジョブを取り出して、
プリンタＸ（２７１）へ送信し、印刷
【００２８】（ｄ）
ユーザはクライアント２００ｂの印刷続行要求部２０４に対して、プリンタＹ（２７２）を用いた印刷続行コマンドを発行
クライアント２００ｂ内のユーザ名獲得部２０５はログインユーザ認証部２０１からユーザ名を獲得
印刷続行要求部２０４は前述の通信メッセージを作成し、通信Ｉ／Ｆ部２０３を介してプリントサーバＸ（２２０ｂ）へ送信
（ｅ）
プリントサーバＸ（２２０ｂ）内の印刷続行処理部２２３
は通信Ｉ／Ｆ部２２２を介して上記通信メッセージを受信
（ｆ）
ユーザ名判定部２２４は、スプールＸ（２２５）に格納してある印刷ジョブ２２６の制御ファイルから取り出したユーザ名と、通信メッセージから取り出したユーザ名を比較
印刷続行コマンドを発行したユーザ名
（ｄ）で獲得した各ユーザ名を比較してユーザ名が一致
もし、印刷続行コマンドを発行したユーザ名と印刷ジョブのユーザ名が一致しない時は、他のプリンタを用いた印刷続行ができないことを表わすエラーメッセージをクライアント２００ｂに送信し、処理を終了
【００２９】（ｇ）
印刷続行処理部２２３は印刷ジョブ２２６をスプールＸ（２２５）から管理サーバ２６０ｂのスプールＢ（２６３）へ転送
（ｈ）
管理サーバ２６０ｂは印刷ジョブをスプールＢ（２６３）に格納
（ｉ）
管理サーバ２６０ｂの印刷実行部２６１はスプールＢ（２６３）に格納された印刷ジョブをプリントサーバＹ（２４０ｂ）のプリンタＹ（２７２）へ転送
（ｊ）
プリントサーバＹ（２４０ｂ）の印刷実行部２４１はスプールＹ（２４３）から印刷ジョブを取り出し、プリンタＹ（２７２）へ送信し、印刷
【００３０】本実施例によれば、
他のプリンタＹ（２７２）を用いた印刷続行を行う時に、該当印刷ジョブに対して、ユーザの認証を行い、印刷コマンドを発行したユーザ
以外が操作できなくなるようにできる
代替する印刷ジョブを管理サーバ２６０ｂに戻すことにより、
ユーザはクライアント２００ｂから印刷ジョブの印刷続行を指示できる
通常管理サーバ２６０ｂのディスク容量が多い
クライアント２００ｂでユーザが使用可能なディスク容量が増える
印刷続行要求部２０４、印刷続行処理部２２３を新設
　
（５）上記（１）ないし（４）から、引用例には、
「ネットワークに接続されているワークステーションやパソコン等の複数の計算機が複数台のプリンタを共有できる印刷システムにおいて、
　従来は、印刷要求した計算機はプリンタが接続された計算機のプリンタ名と計算機名等を登録しているが、プリンタが接続された計算機はプリンタ名と計算機名等を登録してないので、プリンタが接続された計算機同士で印刷ジョブを転送しようとしてもプリンタ名、計算機名が登録されていないため印刷ジョブを転送できないという課題、従来は、ユーザを認証する機能がないため、最初に印刷要求したユーザ以外のユーザも印刷ジョブを代替プリンタへ印刷続行できるという課題、及び、これに伴い、最初に印刷要求したユーザが代替プリンタで印刷続行を行おうとしても、印刷ジョブが計算機のスプールから無くなってしまうこととなるのでユーザに混乱が生じるという課題を解決するために、ＬＡＮに、５台の第１の計算機と、６台のプリンタとを接続して構成した印刷システムに、前記ＬＡＮに接続して第１の計算機と前記プリンタとを管理している管理サーバである第２の計算機を追加し、印刷要求部及び印刷続行処理部を新設し、
　各第１の計算機は、前記プリンタのいずれかを制御する機能であるプリントサーバの機能及び前記プリントサーバ機能が制御するプリンタに対する印刷要求等の印刷制御機能であるクライアントの機能を実装しており、
　前記プリンタは、前記第１の計算機と接続されたプリンタケーブルまたは前記ＬＡＮに接続されるプリンタコントローラ部と、該プリンタコントローラ部から得られる第１及び第２信号線に基づいて印刷制御されるプリンタエンジン部とから構成され、前記プリンタコントローラ部はＣＰＵバスに接続されたＣＰＵ、ＲＯＭメモリ、ＲＡＭメモリ、第２信号線を用いて入出力を行うプリンタメモリコントローラ、ユーザ操作パネルからの信号に基づいて処理して第１信号線を用いて入出力を行うサブＣＰＵ及び前記プリンタケーブル又は前記ＬＡＮに接続される外部Ｉ／Ｆ部から構成されており、
　第１の計算機は、システムバスに接続されたＣＰＵ、ＲＯＭメモリ、ＲＡＭメモリ、キーボードやマウス等の入力手段、ディスクコントローラによって制御されるディスク、表示コントローラによって制御されるディスプレイ、前記プリンタケーブルを接続するプリンタアダプタおよび前記ＬＡＮに接続される通信Ｉ／Ｆコントローラから構成されており、
　第１の計算機は、機能として印刷実行部及びスプールを備えており、さらに、クライアント機能としてログインユーザ認証部、印刷要求部及び前記印刷続行要求部を、プリントサーバ機能として前記印刷続行処理部をそれぞれ備え、前記印刷続行要求部はユーザ名獲得部を備え、前記印刷続行処理部はユーザ名判定部を備えており、
　第２の計算機は、ディスク容量が多く、その管理サーバ機能は印刷実行部及びスプールで構成され、プリンタを接続するとプリントサーバとしても使用できるものであるがプリンタは接続されておらず、
　第１の計算機の前記ログインユーザ認証部は、前記ＣＰＵによって構成され、ユーザが前記クライアント機能にログインする時に、前記入力手段を用いて入力されるユーザ名とパスワードとに基づいて前記第１の計算機のクライアント機能へログインするユーザの権限を管理するものであり、
　第１の計算機の前記印刷要求部は、前記ＣＰＵによって構成され、ユーザが前記入力手段を用いて印刷要求を行うと、ファイルを印刷ジョブとして前記ディスクまたは別のディスクから前記ＲＡＭメモリで構成される前記スプールへ格納するものであり、前記印刷ジョブは、前記印刷要求部により作成されるものであって、制御ファイルとデータファイルから構成され、前記制御ファイルと前記データファイルとは一緒にして１つのファイルとすることもでき、前記制御ファイルは、印刷ジョブの全体情報を記述するファイルであり、印刷要求したユーザ名及び計算機名、印刷要求先のプリンタ名及び計算機名、データファイル名等が記述してあり、前記印刷要求したユーザ名は前記印刷要求部が前記ユーザ認証部から得るものであり、前記印刷要求した計算機名は前記印刷要求部が予め作成してディスク等に登録された環境設定ファイルを参照することによって得られるものであり、前記印刷要求先プリンタ名は印刷要求時にユーザが指定するものであり、前記印刷要求先計算機名は前記環境設定ファイルにプリンタ名と計算機名とが対応付けして記述してあり前記印刷要求部がプリンタ名をキーにこれを参照して得ることができるものであり、前記データファイル名は印刷ジョブを生成するときに前記印刷要求部が作成するものであり、前記データファイルは印刷内容を表わすファイルであり、
　第１及び第２の計算機の前記印刷実行部は、印刷ジョブを受信し、各スプールへ印刷ジョブを格納し、各スプールに格納している印刷ジョブを順次取り出して、前記制御ファイルから印刷要求先のプリンタ名及び計算機名を取り出し、印刷要求先のプリンタが自計算機に接続しているか、他の計算機に接続しているかを判定し、プリンタが自計算機に接続している時は、プリンタへデータファイルを送信して印刷し、プリンタが他の計算機に接続している時は、他の計算機のスプールへ印刷ジョブを転送するものであり、印刷が正常に終了するまで、印刷中の印刷ジョブは削除しないようになっており、
　さらに、前記クライアント機能は、ユーザが印刷ジョブ状態問合せコマンドを発行して印刷ジョブの状態を知ることができるものであり、
　ユーザが、ユーザ名及びパスワードを入力し、ログインユーザ認証部によりユーザの認証が行われることによりいずれかの第１の計算機のクライアント機能にログインし、いずれかの第１の計算機に接続された第１のプリンタへファイルを印刷要求し、印刷ジョブが第１のプリンタが接続された第１の計算機のスプールへ転送された後に、第１のプリンタでの印刷中に障害が発生してユーザへプリンタ障害が発生したことが報告されユーザが第１のプリンタとは別の第２のプリンタで印刷続行したい時、又は、ユーザがいずれかの第１の計算機を用いて印刷ジョブ状態問合せコマンドを発行して印刷ジョブの状態を知ることで印刷が始まっていない段階で別の第２のプリンタで印刷を行いたい時に、ユーザは、いずれかの第１の計算機の印刷続行要求部に対して、前記入力手段を用いて最初に印刷要求した第１のプリンタのプリンタ名、最初に印刷要求した印刷ジョブ名及び代替先プリンタ名として第２のプリンタのプリンタ名を入力することで、第２のプリンタを用いた印刷続行コマンドを発行させ、印刷続行コマンドを発行した第１の計算機は、前記ユーザ名獲得部により、前記ログインユーザ認証部に問合せて前記印刷続行コマンドを発行したユーザ名を獲得し、前記印刷続行要求部により、印刷ジョブ名、最初に印刷要求したプリンタ名、ユーザ名、代替先プリンタ名で構成される通信メッセージを作成して、該通信メッセージを第１のプリンタに接続された第１の計算機へ送信し、第１のプリンタに接続された第１の計算機は、印刷続行処理部により、前記通信メッセージを受信し、ユーザ名判定部に前記通信メッセージのユーザ名と、自計算機のスプールに格納された印刷ジョブの制御ファイルから取り出したユーザ名を比較させ、一致しなければ代替プリンタを用いた印刷続行ができないことを表わすエラーメッセージを、前記通信メッセージを送信してきた第１の計算機に送信して処理を終了し、一致すれば第２の計算機のスプールへ印刷ジョブを転送し、第２の計算機の印刷実行部は、前記印刷ジョブをスプールに格納し、スプールに格納された前記印刷ジョブを第２のプリンタに接続された第１の計算機のスプールへ転送し、第２のプリンタに接続された第１の計算機の印刷実行部は、スプールから前記印刷ジョブを取り出し、接続されたプリンタへ送信し印刷する、代替プリンタを用いた印刷続行を行うことができる印刷システムであって、
　代替プリンタを用いた印刷続行を行う時に、ユーザの認証を行うようにするとともに、代替プリンタで印刷する印刷ジョブを第２の計算機に戻すようにしたことにより、印刷コマンドを発行したユーザはいずれかの第１の計算機から印刷ジョブの印刷続行を指示できるが、印刷コマンドを発行したユーザ以外のユーザは該当印刷ジョブに対して操作できなくし、かつ、第１の計算機でユーザが使用可能なディスク容量を増やすことができた印刷システム。」の発明（以下「引用発明」という。）が記載されているものと認められる。
　
３　対比
　本願発明と引用発明とを対比する。
（１）引用発明の「プリンタ」、「プリンタのいずれかを制御する機能であるプリントサーバの機能及びプリントサーバ機能が制御するプリンタに対する印刷要求等の印刷制御機能であるクライアントの機能を実装した第１の計算機」、「ＬＡＮに接続して第１の計算機とプリンタとを管理している管理サーバである第２の計算機」、「印刷システム」、「印刷ジョブ」、「ＲＡＭメモリで構成されるスプール」、「印刷続行処理部」、「印刷続行要求部」及び「印刷実行部」は、それぞれ、本願発明の「プリンタ装置」、「『印刷制御装置』及び『端末装置』」、「印刷管理装置」、「印刷システム」、「印刷ジョブ」、「印刷ジョブ記憶部」、「送信部」、「印刷ジョブ要求部」及び「『受信部』及び『出力部』」に相当する。
　
（２）引用発明において、「印刷システム」は、ＬＡＮに、５台の第１の計算機と、６台のプリンタとを接続して構成した印刷システムに、前記ＬＡＮに接続して前記第１の計算機と前記プリンタとを管理している管理サーバである第２の計算機を追加したものであり、「印刷制御装置」かつ「端末装置」である第１の計算機は、「プリンタ装置（プリンタ）」のいずれかを制御する機能であるプリントサーバの機能及びプリントサーバ機能が制御するプリンタに対する印刷要求等の印刷制御機能であるクライアントの機能を実装しているから、引用発明の「印刷システム」と本願発明の「印刷システム」とは、「プリンタ装置に印刷制御装置が設けられ、該プリンタ装置が端末装置に対して複数台接続されるとともに印刷管理装置が接続される」ものである点で一致する。
　
（３）引用発明において、「印刷システム」は、ユーザが、ユーザ名及びパスワードを入力し、ログインユーザ認証部によりユーザの認証が行われることによりいずれかの「端末装置（第１の計算機）」のクライアント機能にログインし、いずれかの「印刷制御装置（第１の計算機）」に接続された第１のプリンタへファイルを印刷要求すると、「印刷ジョブ」が第１のプリンタが接続された「印刷制御装置（第１の計算機）」のスプールへ転送されるようになっており、「印刷制御装置（第１の計算機）」の「受信部（印刷実行部）」は、印刷ジョブを受信し、各「印刷ジョブ記憶部（スプール）」へ印刷ジョブを格納するものであるから、引用発明の「受信部（印刷実行部）」と本願発明の「受信部」とは、「端末装置から送信される印刷ジョブを受信する」ものである点で一致するとともに、引用発明の「印刷ジョブ記憶部（スプール）」と本願発明の「印刷ジョブ記憶部」とは、「前記受信部が受信した前記印刷ジョブを記憶する」ものである点で一致する。
　
（４）引用発明の「印刷制御装置（第１の計算機）」は、「受信部（印刷実行部）」が「印刷ジョブ」を受信し（上記（３）参照。）、「送信部（印刷続行処理部）」により、通信メッセージを受信し、ユーザ名判定部に前記通信メッセージのユーザ名と、自計算機のスプールに格納された印刷ジョブの制御ファイルから取り出したユーザ名を比較させ、一致すれば「印刷管理装置（第２の計算機）」のスプールへ「印刷ジョブ」を転送するから、引用発明の「送信部（印刷続行処理部）」と本願発明の「送信部」とは、「前記受信部が受信した印刷ジョブを前記印刷管理装置に送信する」ものである点で一致する。
　
（５）引用発明において、ユーザが、５台あるうちのある１台の第１の計算機（以下「第１の計算機Ａ」という。）のクライアント機能にログインし、第１の計算機Ａから別の１台の第１の計算機（以下「第１の計算機Ｂ」という。）の第１のプリンタへファイルを印刷要求した後、第１の計算機Ａのクライアント機能からログアウトし、印刷ジョブが第１の計算機Ｂのスプールへ転送された後に、別の１台の第１の計算機（以下「第１の計算機Ｃ」という。）のクライアント機能にログインし、第１の計算機Ｃから第１の計算機Ｃの第２のプリンタを用いた印刷続行コマンドを発行することを、引用発明の印刷システムを用いて行い得ることは当業者に自明であるから、ユーザがそのようにした場合の引用発明において、「ユーザが、ユーザ名及びパスワードを入力し、ログインユーザ認証部によりユーザの認証が行われることによりいずれかの第１の計算機のクライアント機能にログインし、いずれかの第１の計算機に接続された第１のプリンタへファイルを印刷要求し、印刷ジョブが第１のプリンタが接続された第１の計算機のスプールへ転送された後に、第１のプリンタでの印刷中に障害が発生してユーザへプリンタ障害が発生したことが報告されユーザが第１のプリンタとは別の第２のプリンタで印刷続行したい時、又は、ユーザがいずれかの第１の計算機を用いて印刷ジョブ状態問合せコマンドを発行して印刷ジョブの状態を知ることで印刷が始まっていない段階で別の第２のプリンタで印刷を行いたい時」に、ユーザが、「いずれかの第１の計算機の印刷続行要求部に対して、前記入力手段を用いて最初に印刷要求した第１のプリンタのプリンタ名、最初に印刷要求した印刷ジョブ名及び代替先プリンタ名として第２のプリンタのプリンタ名を入力することで、第２のプリンタを用いた印刷続行コマンドを発行」させ、印刷続行コマンドを発行した第１の計算機が、「前記ユーザ名獲得部により、前記ログインユーザ認証部に問合せて前記印刷続行コマンドを発行したユーザ名を獲得」し、前記印刷続行要求部により作成して「第１のプリンタに接続された第１の計算機へ送信」する「印刷ジョブ名、最初に印刷要求したプリンタ名、ユーザ名、代替先プリンタ名で構成される通信メッセージ」は、本願発明の「他の印刷制御装置によって前記印刷管理装置へ送信された印刷ジョブを自装置へ送信することを要求するための送信要求」に相当する。
　そして、その場合に、上記「通信メッセージ」が第１の計算機Ｃから第１の計算機Ｂに送信されると、第１の計算機Ｂは、印刷続行処理部により、前記通信メッセージを受信し、ユーザ名判定部に前記通信メッセージのユーザ名と、自計算機のスプールに格納された印刷ジョブの制御ファイルから取り出したユーザ名を比較させ、一致すれば第２の計算機のスプールへ印刷ジョブを転送し、第２の計算機の印刷実行部は、前記印刷ジョブをスプールに格納し、スプールに格納された前記印刷ジョブを第１の計算機Ｃのスプールへ転送し、第１の計算機Ｃの印刷実行部は、スプールから前記印刷ジョブを取り出し、接続された第２のプリンタへ送信し印刷することになるから、第１の計算機Ｃが第１の計算機Ｂに送信した上記「通信メッセージ」の内容が何らかの形で「印刷管理装置（第２の計算機）」まで伝わることになるのは明らかである。
　してみると、引用発明の「印刷ジョブ要求部（印刷続行要求部）」と本願発明の「印刷ジョブ要求部」とは、「他の印刷制御装置によって前記印刷管理装置へ送信された印刷ジョブを自装置へ送信することを要求するための送信要求を前記印刷管理装置へ送信する」点で一致するといえる。
　また、上記のように第１の計算機Ｃから第１の計算機Ｃの第２のプリンタを用いた印刷続行コマンドを発行した場合、第２の計算機のスプールへ印刷ジョブが転送され、第２の計算機の印刷実行部が、前記印刷ジョブをスプールに格納し、スプールに格納された前記印刷ジョブを第１の計算機Ｃのスプールへ転送することになるが、第１の計算機Ｃのスプールへ転送された前記印刷ジョブを受信し、そのスプールへ印刷ジョブを格納するのは、第１の計算機Ｃの印刷実行部であり、そのスプールから前記印刷ジョブを取り出し、接続された第２のプリンタへ送信し印刷するのも第１の計算機Ｃの印刷実行部であるから、ユーザが上記のようにした場合、引用発明の「出力部（印刷実行部）」と本願発明の「出力部」とは、「前記印刷ジョブ要求部の送信要求に応じて前記印刷管理装置から送信される、他の印刷制御装置によって前記印刷管理装置へ送信された印刷ジョブを受信し、受信した印刷ジョブを前記プリンタ装置に出力する」点で一致するといえる。
　
（６）引用発明の「印刷制御装置（第１の計算機）」は、クライアント機能によって、ユーザが印刷ジョブ状態問合せコマンドを発行して印刷ジョブの状態を知ることができるものであるところ、本願発明の「印刷制御装置」は、「前記印刷管理装置に記憶された印刷ジョブのリスト情報の送信要求を前記印刷管理装置に送信するリスト要求部」及び「前記リスト要求部の送信要求に応じて前記印刷管理装置から送信されるリスト情報を受信するリスト情報受信部」を有しているから、このリスト要求部及びリスト情報受信部により、本願発明の「印刷制御装置」も、「ユーザが印刷ジョブの状態を知ることができる」ものであるといえる。
　したがって、引用発明の「印刷制御装置」と本願発明の「印刷制御装置」とは、「ユーザが印刷ジョブの状態を知ることができる」ものである点で一致する。
　
（７）上記（１）ないし（６）からみて、本願発明と引用発明とは、
「プリンタ装置に印刷制御装置が設けられ、該プリンタ装置が端末装置に対して複数台接続されるとともに印刷管理装置が接続される印刷システムにおける印刷制御装置であって、
　前記端末装置から送信される印刷ジョブを受信する受信部と、
　前記受信部が受信した前記印刷ジョブを記憶する印刷ジョブ記憶部と、
　前記受信部が受信した印刷ジョブを前記印刷管理装置に送信する送信部と、
　他の印刷制御装置によって前記印刷管理装置へ送信された印刷ジョブを自装置へ送信することを要求するための送信要求を前記印刷管理装置に送信する印刷ジョブ要求部と、
　前記印刷ジョブ要求部の送信要求に応じて前記印刷管理装置から送信される、他の印刷制御装置によって前記印刷管理装置へ送信された印刷ジョブを受信し、受信した印刷ジョブを前記プリンタ装置に出力する出力部とを有し、
　ユーザが印刷ジョブの状態を知ることができる印刷制御装置。」である点で一致し、次の点で相違する。
　
相違点：
　本願発明では、「印刷制御装置」が「印刷管理装置に記憶された印刷ジョブのリスト情報の送信要求を前記印刷管理装置に送信するリスト要求部」及び「前記リスト要求部の送信要求に応じて前記印刷管理装置から送信されるリスト情報を受信するリスト情報受信部」を有することにより、ユーザが印刷ジョブの状態を知ることができるようになっているのに対して、引用発明では、「印刷制御装置」のクライアント機能によって、ユーザが印刷ジョブ状態問合せコマンドを発行することにより、ユーザが印刷ジョブの状態を知ることができるようになっているものである点。
　
４　判断
　上記相違点について検討する。
（１）管理サーバでネットワークに接続された複数のプリンタに実行させるジョブを管理するとともに印刷ジョブリストを記憶しておき、端末装置からの印刷ジョブリスト問い合わせに応じて、管理サーバより該印刷ジョブリスト情報を応答し、端末装置で印刷ジョブリストを表示させるようにした印刷システムは、本願の出願前に周知である（以下「周知技術」という。例．特開２００４−８６４１９号公報（【０００１】、【０００２】、【００２６】、【００２９】、図１〜図５参照。「印刷ジョブ管理サーバ１０」、「『印刷ジョブの一覧』を『印刷ジョブ管理サーバ１０に蓄積』」、「クライアント装置２０」、「印刷ジョブ一覧の表示要求」及び「印刷ジョブの一覧」が、それぞれ、「管理サーバ」、「管理サーバで印刷ジョブリストを記憶」、「端末装置」、「印刷ジョブリスト問い合わせ」及び「印刷ジョブリスト」に相当する。）、特開２００３−１７７８８０号公報（【０００１】、【０００２】、【００４０】〜【００７４】、図１〜図１６参照。「ホスト４」、「『ジョブ情報』を『ホスト４』の『ジョブ情報蓄積部４３に蓄積』」、「端末３」、「ジョブ情報取得要求」及び「ジョブ一覧表」が、それぞれ「管理サーバ」、「管理サーバで印刷ジョブリストを記憶」、「端末装置」、「印刷ジョブリスト問い合わせ」及び「印刷ジョブリスト」に相当する。）、特開２００４−２１６９２号公報（【００２９】〜【００５２】、図１〜図２参照。「プリントポータル１００」、「『プリントポータル１００は、』『印刷ジョブの一覧を』『このユーザＩＤに対応付けて管理』」、「指示計算機４０」、「ステップＳａ０４（【００４８】、【００４９】、図２参照。）」及び「印刷ジョブの一覧」が、それぞれ、「管理サーバ」、「管理サーバで印刷ジョブリストを記憶」、「端末装置」、「印刷ジョブリスト問い合わせ」及び「印刷ジョブリスト」に相当する。））。
　
（２）引用発明の「印刷管理装置（管理サーバである第２の計算機）」は、ネットワークに接続されているワークステーションやパソコン等の複数の計算機が複数台のプリンタを共有できる印刷システムにおいて、前記ネットワークであるＬＡＮに接続して、該ＬＡＮに接続した５台の第１の計算機及び６台のプリンタを管理するものであるところ、さらに、引用発明の印刷システムを用いてユーザが印刷要求した「印刷ジョブ」について、その「印刷ジョブリスト」を記憶するようになし、引用発明において、第１の計算機からの印刷ジョブ状態問合せコマンドとして「印刷ジョブリスト問い合わせ」を発行するようになし、この「印刷ジョブリスト問い合わせ」に応じて、前記「印刷管理装置（第２の計算機）」が前記「印刷ジョブリスト」を応答するようになし、第１の計算機で該「印刷ジョブリスト」を表示させるようになすことは、当業者が周知技術に基づいて容易に想到し得た程度のことである。
　ここで、上記「印刷ジョブリスト」及び「印刷ジョブリスト問い合わせ」は、それぞれ、本願発明の「印刷ジョブのリスト情報」及び「印刷管理装置に記憶された印刷ジョブのリスト情報の送信要求」に相当する。
　そして、引用発明において、第１の計算機から「印刷管理装置に記憶された印刷ジョブのリスト情報の送信要求」を発行するために、第１の計算機には、「印刷管理装置（第２の計算機）」へ該「送信要求」を送信する機能と、前記「送信要求」に応じて前記「印刷管理装置（第２の計算機）」から送信されるリスト情報を受信する機能とが必要になることが、当業者に自明であるところ、この「印刷管理装置へ該送信要求を送信する機能」及び「前記送信要求に応じて前記印刷管理装置から送信されるリスト情報を受信する機能」が、それぞれ、本願発明の「印刷管理装置に記憶された印刷ジョブのリスト情報の送信要求を前記印刷管理装置に送信するリスト要求部」及び「前記リスト要求部の送信要求に応じて前記印刷管理装置から送信されるリスト情報を受信するリスト情報受信部」に相当する。
　したがって、引用発明において、前記「印刷制御装置（第１の計算機）」に、「印刷管理装置に記憶された印刷ジョブのリスト情報の送信要求を前記印刷管理装置に送信するリスト要求部」及び「前記リスト要求部の送信要求に応じて前記印刷管理装置から送信されるリスト情報を受信するリスト情報受信部」を設けること、すなわち上記相違点に係る本願発明の構成となすことは、当業者が周知技術に基づいて容易になし得た程度のことである。
　
（３）本願発明の奏する効果は、引用発明の奏する効果及び周知技術の奏する効果から当業者が予測できた程度のものである。
　
（４）まとめ
　したがって、本願発明は、当業者が引用例に記載された発明及び周知技術に基づいて容易に発明をすることができたものである。
　
５　むすび 
　本願発明は、当業者が引用例に記載された発明及び周知技術に基づいて容易に発明をすることができたものであるから、特許法第２９条第２項の規定により特許を受けることができない。
　よって、結論のとおり審決する。